(57)【要約】【課題】生産設備を備える浮体構造物において、生産設備のためのより広いスペースを上甲板上に確保する。【解決手段】ＦＰＳＯなどの浮体式生産設備１０において、カーゴタンク１１の上甲板１２上に各種生産設備１３を配置する。生産設備１３に電力を供給する給電施設（Ｅ−ｈｏｕｓｅ）１７を船尾浮体端部区域１６内にある居住区１５に隣接して一体的に配置する。カーゴタンク１１の上甲板１２上に設けられる発電設備１３Ｇからの電力を、給電施設１７、パイプラック１４を通して、生産設備１３の各々に給電する。【選択図】図１
2017154702.tif 000002
【特許請求の範囲】
【請求項１】
カーゴタンクの上甲板上に設置される複数の生産設備と、前記生産設備に電力を供給する給電施設と、居住区とを備える浮体構造物であって、前記給電施設が前記居住区と一体的であることを特徴とする生産設備を備える浮体構造物。
【請求項２】
前記カーゴタンクの前記上甲板上に設けられる発電設備を備え、前記給電施設が前記発電設備からの電力を前記生産設備の各々に供給することを特徴とする請求項１に記載の浮体構造物。
【請求項３】
前記カーゴタンクの上甲板上以外の安全区域に発電機を備え、前記給電施設が前記発電機からの電力の供給も行うことを特徴とする請求項１または２に記載の浮体構造物。
【請求項４】
前記給電施設が前記カーゴタンクの上甲板上以外の安全区域内にあることを特徴とする請求項１〜３の何れか一項に記載の浮体構造物。
【請求項５】
前記給電施設が前記居住区に隣接して配置されることを特徴とする請求項１〜４の何れか一項に記載の浮体構造物。
【発明の詳細な説明】
【技術分野】
【０００１】
本発明は、生産設備を備える浮体構造物に設けられる給電施設に関する。
【背景技術】
【０００２】
浮体式生産貯蔵積出設備（ＦＰＳＯ）などの浮体式生産設備は、生産設備への電源供給のために発電機と給電施設（Ｅ−ｈｏｕｓｅ）を備える。これらの設備は、上甲板上にモジュールとして搭載されている（特許文献１、段落［００１６］参照）。例えば図２に示されるように、従来のＦＰＳＯ１００では、カーゴタンク１０１の上甲板上に発電機１０２や各種生産設備１０３が配置され、各生産設備１０３へ電力供給を行う給電施設１０４も同上甲板上に設置される。発電機１０２で発電された電力は、給電施設１０４からパイプラック１０５に敷設された電線を通して各生産設備１０３へと供給される。
【先行技術文献】
【特許文献】
【０００３】
【特許文献１】特開２０１５−１１６９７４号公報
【発明の概要】
【発明が解決しようとする課題】
【０００４】
一方、近年では生産能力の増大や、新規の油田開発にともなって生産設備は大型化してきているため、必要な生産設備を上甲板上に配置しきれないといった問題がある。このような問題に対しては、船体長さを延長し、上甲板スペースを確保することも考えられるがコスト高となる。特に既存タンカー等を改造しＦＰＳＯとして利用する場合などに、船体延長工事などの大規模な改造工事が必要となると、既存タンカーを利用する合理性が失われる。
【０００５】
本発明は、生産設備を備える浮体構造物において、生産設備のためのより広いスペースを上甲板上に確保することを目的としている。
【課題を解決するための手段】
【０００６】
本発明に係る生産設備を備える浮体構造物は、カーゴタンクの上甲板上に設置される複数の生産設備と、前記生産設備に電力を供給する給電施設と、居住区とを備える浮体構造物であって、前記給電施設が前記居住区と一体的であることを特徴としている。
【０００７】
カーゴタンクの上甲板上に設けられる発電設備を備えた給電施設は、この発電設備からの電力を生産設備の各々に供給する。カーゴタンクの上甲板上以外の安全区域に更に発電機を備え、給電施設がこの発電機からの電力の供給も行うことが好ましい。給電施設はカーゴタンクの上甲板上以外の安全区域内にあることが好ましい。また、給電施設は、例えば居住区に隣接して配置される。
【発明の効果】
【０００８】
本発明によれば、生産設備を備える浮体構造物において、生産設備のためのより広いスペースを上甲板上に確保することができる。
【図面の簡単な説明】
【０００９】
【図１】本発明の本実施形態の浮体式生産設備の構成を示す三面図である。
【図２】従来技術の浮体式生産設備の構成を示す側面図および平面図である。
【発明を実施するための形態】
【００１０】
以下、図示された実施形態を参照して本発明に係る浮体式生産設備（生産設備を備える浮体構造物）の構成を説明する。
【００１１】
図１は、本実施形態の浮体式生産設備１０の三面図、すなわち側面図（右上図）、平面図（下図）、船首側から見た正面図（左図）である。本実施形態において、浮体式生産設備１０はＦＰＳＯ（ＬＮＧ  ＦＰＳＯ及びＬＰＧ  ＦＰＳＯも含む）であり、船体長手方向に沿って石油やガスなどを貯蔵するカーゴタンク１１が多数設けられる。カーゴタンク１１の上甲板１２上には、上甲板１２から所定高さ離間して各種生産設備１３、生産設備１３への電力供給に主に用いられる発電設備１３Ｇ、およびパイプラック（斜線部）１４が設けられる。図１に示されるように、パイプラック１４は船体中心付近において長手方向に沿って配置され、各種生産設備１３、発電設備１３Ｇはその両側に配置される。なお、パイプラック１４には、各種生産設備１３への給電用の電線が敷設される。
【００１２】
浮体端部区域１６は、浮体式生産設備１０の中央部に配置され可燃性ガスの発生源となり得る生産設備１３やカーゴタンク１１からより離れた安全区域となり、居住区１５はこの区域に配置される。すなわち、乗員の安全性を確保するため、居住区は火災・爆発等の危険がある生産設備及びカーゴタンクとは分けて設けられる。また本実施形態では、居住区１５と一体的に給電施設（Ｅ−ｈｏｕｓｅ）１７が設けられる。給電施設１７は、配電盤や操作パネルなど電気関連の機器が集約され、例えばモジュール化された設備であり、図１の例では、居住区１５の右舷側に隣接して配置される。また、給電施設は居住区上部に配置することもできる。
【００１３】
給電施設１７には、発電設備１３Ｇおよび浮体端部区域（安全区域）１６内、例えば給電施設１７内や、機関室に設けられた発電機（例えばＤ／Ｇ）１８からの電線が引き込まれる。給電施設１７では、必要な各設備に給電するため、配電盤を通して電力が分配され、分配された電力はパイプラック１４内に敷設される電線を通して各生産設備１３へと供給される。また、給電施設１７とパイプラック１４間の配線は、居住区１５内を通すことなく、例えば居住区１５の建物の周囲に沿って配設される電線ラック１９を通して行われる。これにより、給電施設１７の工事を居住区１５とは独立して行うことができる。
【００１４】
一般的に、給電施設１７の配電盤の設置には、配線スペースが必要となるため、給電施設１７の各層は、居住区１５の例えば１．５〜２層分の高さを必要とする。また、上甲板上の給電施設１７の配置スペース（デッキエリア）を節約するには、給電施設１７を例えば２〜８層程度とすることが好ましい。また給電施設１７には、機器を冷却するための居住区１５用のものよりも強力な空調設備が必要となるが、本実施形態では、給電施設１７が、居住区１５に隣接しながらも独立しているため、独立した空調設備を設けることが可能であるとともに、上方にスペースがあることで空調設備の配置も容易である。
【００１５】
また、同構成により給電施設１７自体の建造も居住区１５の建造からより独立して行うことができ、より自由に工程を管理することができる。更に、給電施設１７がモジュールタイプの場合などには、給電施設１７が居住区１５に隣接することから、各モジュールの側部を居住区１５により支持・固定できるので、多層の給電施設１７の建造はより容易となる。
【００１６】
以上のように、本実施形態によれば、給電施設を居住区と一体的に設けることで、上甲板上の生産設備用のスペースをより広くとることができる。特に居住区に隣接させ、区画としては独立していながらも構造的には一体的にすることで、例えばモジュールタイプの給電施設などのサポート構造の配置スペースの確保が不要となり、給電施設のために安全区域で必要となるデッキエリアを節約することができる。
【００１７】
また、本実施形態では、発電機が機関室（船尾主船体内部）と生産設備区域の両方にあり、生産設備がダメージを受けた場合にも、居住区に給電施設があるため機関室内の発電機を生かすことができる。また、本実施形態の給電施設の構成によれば、給電施設に可燃性物質が流入する危険性は少なく、給電施設を安全区域の居住区に取り込むことが可能となり、更に緊急時、荒天時のアクセスが容易になる。
【００１８】
一方で、給電施設を機関室に設けることも考えられるが、その場合には工期（ドック期間）に影響し、本実施形態のようにモジュール化しての製造はできない。また、給電施設以外の他の生産設備を機関室、居住区に移動することも考えられるが、給電施設であれば、電線の敷設だけで済むので、配管等の取り回しなどの困難がなく、コストも削減できる。
【００１９】
なお本実施形態では、居住区が船尾側に配置されたが、船首側や船体中央部に居住区が設けられる場合は、給電施設の位置は、その居住区の位置に合わせて移動する。
【００２０】
また、本明細書で使用した用語「浮体端部区域」には、船側端部に面し、カーゴタンクや生産設備から分けられている区域も含まれ、上甲板上に生産設備のためのより広いスペースが確保できれば、船首尾に限定されるものではない。すなわち、船側端部に安全区域が配置され、同区域に居住区が設けられてもよく、その場合には、給電施設を同居住区に隣接して配置してもよい。
【符号の説明】
【００２１】
１０  浮体式生産設備
１１  カーゴタンク
１２  上甲板
１３  生産設備
１３Ｇ  発電設備
１４  パイプラック
１５  居住区
１６  浮体端部区域（安全区域）
１７  給電施設
１８  発電機
１９  電線ラック
【図１】
2017154702.tif 000003
【図２】
2017154702.tif 000004